【手続補正書】
【提出日】平成24年2月8日(2012.2.8)
【手続補正１】
【補正対象書類名】明細書
【補正対象項目名】００２０
【補正方法】変更
【補正の内容】
【００２０】
【図１】複数の物品を特定するための例示的な無線自動識別（ＲＦＩＤ）システムの斜視図。
【図２Ａ】３Ｄアンテナと、スペーサ層と、ＩＣチップとを備える、本発明によるＲＦＩＤタグの一実施形態の概略斜視図。
【図２Ｂ】図２ＡのＲＦＩＤタグの断面図。
【図３Ａ】本発明によるＲＦＩＤタグの別の実施形態の概略斜視図。
【図３Ｂ】図３のＲＦＩＤタグの断面図。
【図４Ａ】ＲＦＩＤタグのアンテナのインピーダンス応答とＲＦＩＤタグの長さとの関係を示すグラフ。
【図４Ｂ】ＲＦＩＤタグのアンテナのインピーダンス応答とＲＦＩＤタグの長さとの関係を示すグラフ。
【図５Ａ】ＲＦＩＤタグのアンテナのインピーダンス応答とＲＦＩＤタグの幅との関係を示すグラフ。
【図５Ｂ】ＲＦＩＤタグのアンテナのインピーダンス応答とＲＦＩＤタグの幅との関係を示すグラフ。
【図６Ａ】ＲＦＩＤタグのアンテナのインピーダンス応答とＲＦＩＤタグの高さとの関係を示すグラフ。
【図６Ｂ】ＲＦＩＤタグのアンテナのインピーダンス応答とＲＦＩＤタグの高さとの関係を示すグラフ。
【図７Ａ】ＲＦＩＤタグのアンテナのインピーダンス応答とＲＦＩＤタグのフィードポイントとの関係を示すグラフ。
【図７Ｂ】ＲＦＩＤタグのアンテナのインピーダンス応答とＲＦＩＤタグのフィードポイントとの関係を示すグラフ。
【図８】ＲＦＩＤタグのリード範囲を試験するための試験システムの概略図。
【図９】ＲＦＩＤタグを実質的に平坦でない表面に取り付けることを可能にする、ＲＦＩＤタグ用の例示的な装着部材の斜視図。
【図１０Ａ】装着部材の例示的な構成を示す図。
【図１０Ｂ】装着部材の例示的な構成を示す図。
【図１１Ａ】装着部材の別の例示的な構成を示す平面図。
【図１１Ｂ】装着部材の更なる例示的な構成を示す平面図。
【図１２】装着部材の更に別の例示的な構成を示す平面図。
【図１３Ａ】ＲＦＩＤタグを実質的に平坦でない表面に取り付けることを可能にする装着部材を備えたＲＦＩＤタグを製造するための例示的なプロセスを示す図。
【図１３Ｂ】ＲＦＩＤタグを実質的に平坦でない表面に取り付けることを可能にする装着部材を備えたＲＦＩＤタグを製造するための例示的なプロセスを示す図。
【図１４Ａ】ＲＦＩＤタグを実質的に平坦でない表面に取り付けることを可能にする装着部材を備えたＲＦＩＤタグを製造するための別の例示的なプロセスを示す概念図。
【図１４Ｂ】ＲＦＩＤタグを実質的に平坦でない表面に取り付けることを可能にする装着部材を備えたＲＦＩＤタグを製造するための別の例示的なプロセスを示す概念図。
【図１４Ｃ】ＲＦＩＤタグを実質的に平坦でない表面に取り付けることを可能にする装着部材を備えたＲＦＩＤタグを製造するための別の例示的なプロセスを示す概念図。
【図１４Ｄ】ＲＦＩＤタグを実質的に平坦でない表面に取り付けることを可能にする装着部材を備えたＲＦＩＤタグを製造するための別の例示的なプロセスを示す概念図。
【図１４Ｅ】ＲＦＩＤタグを実質的に平坦でない表面に取り付けることを可能にする装着部材を備えたＲＦＩＤタグを製造するための別の例示的なプロセスを示す概念図。
【図１５Ａ】本開示による例示的なＲＦＩＤタグの概略斜視図。
【図１５Ｂ】図１５ＡのＲＦＩＤタグの断面図。
【図１６Ａ】２つのアンテナ設計の例示的な全インピーダンスを示すスミス図表。
【図１６Ｂ】２つのアンテナ設計の例示的な全インピーダンスを示すスミス図表。
【図１７Ａ】図１５Ａ及び１５ＢのＲＦＩＤタグのスリット長（ＬＳＬＩＴ）をパラメータ化する例示的なレジスタンス及びリアクタンス曲線を示すグラフ。
【図１７Ｂ】図１５Ａ及び１５ＢのＲＦＩＤタグのスリット長（ＬＳＬＩＴ）をパラメータ化する例示的なレジスタンス及びリアクタンス曲線を示すグラフ。
【図１８Ａ】図１５Ａ及び１５ＢのＲＦＩＤタグのスリットオフセット（ＳＯＦＦＳＥＴ）をパラメータ化する例示的なレジスタンス及びリアクタンス曲線を示すグラフ。
【図１８Ｂ】図１５Ａ及び１５ＢのＲＦＩＤタグのスリットオフセット（ＳＦＦＳＥＴ）をパラメータ化する例示的なレジスタンス及びリアクタンス曲線を示すグラフ。
【図１９Ａ】図１５Ａ及び１５ＢのＲＦＩＤタグのスリットオフセット（ＳＯＦＦＳＥＴ）をパラメータ化する例示的なレジスタンス及びリアクタンス曲線を示すグラフ。
【図１９Ｂ】図１５Ａ及び１５ＢのＲＦＩＤタグのスリットオフセット（ＳＯＦＦＳＥＴ）をパラメータ化する例示的なレジスタンス及びリアクタンス曲線を示すグラフ。
【図２０Ａ】本開示による別のＲＦＩＤタグの概略斜視図。
【図２０Ｂ】図２０ＡのＲＦＩＤタグの断面図。
【手続補正２】
【補正対象書類名】明細書
【補正対象項目名】００７１
【補正方法】変更
【補正の内容】
【００７１】
翼部５１Ａ及び５１Ｂの寸法は、また物品表面５８に接触する表面積は特に、所望の容量値に基づいて選択されてもよい。例えば、以下の式１及び２を使用すると、特定の容量値を達成するために必要な翼部５１Ａ及び５１Ｂの寸法を算出することができる。短絡を達成するのに十分なインピーダンスの値と共に、動作周波数を式１に入力することができる。次いで式１を解いて容量値Ｃを求めることができる。次いで、誘電率と距離、すなわち翼部５１Ａ及び５１Ｂの一方と表面５８との間の距離の値と共に、容量値Ｃの算出値を式２に入力することができる。次いで、式２を解いて面積を求めることができ、その面積を用いて翼部５１Ａ及び５１Ｂの寸法を設計することができる。例えば、９１５ＭＨｚの動作周波数を用いると、約３０ピコファラド（ｐＦ）以上の容量値が、短絡に近づけるために望ましくなり得る。
【手続補正３】
【補正対象書類名】明細書
【補正対象項目名】０１００
【補正方法】変更
【補正の内容】
【０１００】
実験４
タグＤのロバスト性を評価するために、タグＤのリード範囲を種々の寸法の金属プレート上で測定した。プレートの形状は長方形及び正方形であり、約４１ｃｍ×４１ｃｍ〜約２．５ｃｍ×１０ｃｍ（約１６インチ×１６インチ〜約１インチ×４インチ）の寸法に及ぶものであった。表４に示すように、最大のリード範囲は約８８．９ｍ（３５フィート）であり、達成された最小のリード範囲は約５．２メートル（１７フィート）であった。表４から認められることとして、最大のリード範囲は概ね、タグＤを最大の金属プレートに取り付けて達成され、最小のリード範囲は概ね、タグＤを比較的小さな金属プレートに取り付けて達成された。
【手続補正４】
【補正対象書類名】明細書
【補正対象項目名】０１０７
【補正方法】変更
【補正の内容】
【０１０７】
従来の装着部材は、ＲＦＩＤタグを比較的平坦な表面に取り付けるように設計される。ストリップ状の又は梁状の形状を有する装着部材が、ＲＦＩＤタグを平坦な表面に取り付けるのに好適となり得る。しかしながら、この装着部材は、ＲＦＩＤタグを曲線状の表面に取り付けるのには適さないことがある。例えば、従来の装着部材を湾曲させると、装着部材の一体性及び形状に影響を及ぼす内力が構造内に、特に実質的な厚さを有する装着部材内に生じることがある。この問題は、外側のシェル／外部フランジ構造を有する構造において更に悪化する。そのような構造は、曲げ運動による応力を構造の側壁の中へと伝達する。これによって、側壁にしわが寄り、フランジが座屈し曲がることになる。
【手続補正５】
【補正対象書類名】明細書
【補正対象項目名】０１１８
【補正方法】変更
【補正の内容】
【０１１８】
別の例において、装着部材２２０は、不規則形状の表面に取り付けられてもよい。不規則形状の表面は、複数の曲線状の表面を含むことができる。例えば、表面はＳ字形状を有することができる。この場合、装着部材２２０の一部分は、曲線状の表面の１つに適合し、装着部材２２０の別の部分は、他の曲線状の表面に適合する。重要なことに、構造２２６により、装着部材２２０は、物品表面の形状にかかわらず物品表面に適合するように操作されることが可能となる。留意されたいこととして、装着部材２２０に取り付けられるＲＦＩＤタグもまた、タグが物品に取り付けられたときに動作できるよう、柔軟性を有するように設計されるべきである。
【手続補正６】
【補正対象書類名】明細書
【補正対象項目名】０１１９
【補正方法】変更
【補正の内容】
【０１１９】
図１１Ａは、リブ付き構造２３４を備えた表面を有する装着部材２３０を示す平面図であり、このリブ付き構造２３４は、ＲＦＩＤタグ２１０などのＲＦＩＤタグを実質的に平坦でない表面に取り付けるための柔軟性を高めるものである。一般に、装着部材２３０は、装着部材２３０に柔軟性をもたらす構造の外形を除いて、装着部材２２０及び２４０と類似したものであってもよい。
【手続補正７】
【補正対象書類名】特許請求の範囲
【補正対象項目名】全文
【補正方法】変更
【補正の内容】
【特許請求の範囲】
【請求項１】
無線自動識別（ＲＦＩＤ）タグであって、
ループアンテナであって、
第１の導電性部分の厚さを実質的に上回る長さ及び幅を有する第１の導電性部分であって、該第１の導電性部分の該長さ及び幅は実質的に第１の平面内に存在する、第１の導電性部分と、
第２の導電性部分の厚さを実質的に上回る長さ及び幅を有する第２の導電性部分であって、該第２の導電性部分の該長さ及び幅は該第１の平面に対して実質的に平行な第２の平面内に実質的に存在し、該第２の導電性部分は該第１の導電性部分に電気的に結合され且つ該ＲＦＩＤタグが取り付けられる物品の導電性表面に結合するように構成されている、第２の導電性部分と、
を含むループアンテナと、
該ループアンテナに電気的に接続されたＲＦＩＤ回路であって、該第１の平面及び該第２の平面に対して実質的に垂直な第３の平面内に存在する電流ループにおいて、該第１の導電性部分、該第２の導電性部分、及び該ＲＦＩＤタグが取り付けられる該物品の該導電性表面を流れる電流が該ループアンテナを通じて励起される、ＲＦＩＤ回路と、
を備えるＲＦＩＤタグ。
【請求項２】
無線自動識別（ＲＦＩＤ）システムであって、
質問の無線周波数（ＲＦ）の場を出力するように構成されたリーダーユニットと、
ＲＦＩＤタグであって、
ループアンテナであって、
第１の導電性部分の厚さを実質的に上回る長さ及び幅を有する第１の導電性部分であって、該第１の導電性部分の該長さ及び幅は実質的に第１の平面内に存在する、第１の導電性部分と、
第２の導電性部分の厚さを実質的に上回る長さ及び幅を有する第２の導電性部分であって、該第２の導電性部分の該長さ及び幅は該第１の平面に対して実質的に平行な第２の平面内に実質的に存在し、該第２の導電性部分は該第１の導電性部分に電気的に結合され且つ該ＲＦＩＤタグが取り付けられる物品の導電性表面に結合するように構成されている、第２の導電性部分と、
を含むループアンテナと、
該ループアンテナに電気的に接続されたＲＦＩＤ回路であって、該第１の平面及び該第２の平面に対して実質的に垂直な第３の平面内に存在する電流ループにおいて、該第１の導電性部分、該第２の導電性部分、及び該ＲＦＩＤタグが取り付けられる該物品の該導電性表面を流れる電流が励起されて、該質問のＲＦ信号に応答するＲＦ信号を出力する、ＲＦＩＤ回路と、
を備えるＲＦＩＤタグと、
を具備するＲＦＩＤシステム。
【請求項３】
物品であって、
導電性表面と、
該物品の該導電性表面に結合される無線自動識別（ＲＦＩＤ）タグであって、
ループアンテナであって、
第１の導電性部分の厚さを実質的に上回る長さ及び幅を有する第１の導電性部分であって、該第１の導電性部分の該長さ及び幅は実質的に第１の平面内に存在する、第１の導電性部分と、
第２の導電性部分の厚さを実質的に上回る長さ及び幅を有する第２の導電性部分であって、該第２の導電性部分の該長さ及び幅は該第１の平面に対して実質的に平行な第２の平面内に実質的に存在し、該第２の導電性部分は該第１の導電性部分に電気的に結合され且つ該ＲＦＩＤタグが取り付けられる物品の導電性表面に結合するように構成されている、第２の導電性部分と、
を含むループアンテナと、
該ループアンテナに電気的に接続されたＲＦＩＤ回路であって、該物品の該導電性表面に対して実質的に平行でない第３の平面内に存在する電流ループにおいて、該第１の導電性部分、該第２の導電性部分、及び該ＲＦＩＤタグが取り付けられる該物品の該導電性表面を流れる電流が該ループアンテナを通じて励起される、ＲＦＩＤ回路と、
を備えるＲＦＩＤタグと、
を具備する物品。
【請求項４】
無線自動識別（ＲＦＩＤ）タグであって、
ループアンテナであって、
第１の導電性部分の厚さを実質的に上回る長さ及び幅を有する第１の導電性部分であって、前記第１の導電性部分の前記長さ及び幅は、実質的に第１の平面内に存在し、前記第１の導電性部分の少なくとも一部分は、前記ループアンテナのインピーダンスを同調させるための同調素子を形成する第１の導電性部分と、
第２の導電性部分の厚さを実質的に上回る長さ及び幅を有する第２の導電性部分であって、前記第２の導電性部分の前記長さ及び幅は、実質的に前記第１の平面に対して実質的に平行な第２の平面内に存在し、前記第２の導電性部分は、前記第１の導電性部分に電気的に結合されている第２の導電性部分と、
を有するループアンテナと、
前記ループアンテナに電気的に接続されたＲＦＩＤ回路であって、電流が前記ループアンテナを通じて励起されて、前記第１の平面及び前記第２の平面に対して実質的に垂直な第３の平面内に存在する電流ループにおいて、前記第１の導電性部分及び前記第２の導電性部分を流れるＲＦＩＤ回路と、
を備えるＲＦＩＤタグ。
【請求項５】
無線自動識別（ＲＦＩＤ）タグと、
前記ＲＦＩＤタグを実質的に平坦でない表面上に装着するように構成された装着部材であって、
上側表面と前記上側表面の反対側の下側表面とを備える、実質的に平坦でかつ柔軟な基礎部材と、
前記下側表面から突出する複数の装着構造と、
を備える装着部材と、
を備えるアセンブリ。
【請求項６】
鋳巣に硬化性樹脂を少なくとも部分的に充填する工程と、
整形工具を前記鋳巣に押し付けて前記樹脂を形作りする工程と、
前記材料が硬化した後に前記整形工具を取り除き、それによって、基礎部材から延びる複数の装着構造を規定する工程と、
前記基礎部材及び複数の装着構造を前記鋳巣から取り出す工程であって、前記基礎部材は実質的に平坦であり、無線自動識別（ＲＦＩＤ）タグに取り付けられるように構成された上側表面と、前記装着構造がそこから延びる下側表面とを備える、工程と、
１つ以上のＲＦＩＤタグを前記基礎部材の前記上側表面に結合する工程と、
を含む方法。